(57)【要約】【課題】浮力を利用してボイド型枠４０の高さを位置決めし、そのボイド型枠の上方移動用ガイド１１の取付けを容易にする。【解決手段】上端筋２と下端筋３の格子状碁盤目状空間Ｓ内に発泡樹脂製ボイド型枠４０が配置された二方向コンクリートボイドスラブである。そのボイド型枠は、上端筋２に固定の支持杆１０の下向きガイド杆１１が孔４３を介して挿し通されており、コンクリートＣの打設により、ボイド型枠が浮力によってガイド杆１１に案内されて上方に移動して所要の高さに位置して埋設される。このように、上方移動用ガイド１１を有する杆１０が上端筋２に固定であれば、その杆１０、１１の除去作業は必要ない。ボイド型枠の下部に段差４４を有するものとすれば、その段差にコンクリートが入り込んで浮力を有効に作用させるため、ボイド型枠は上方にスムースに移動する。ボイド型枠は上下端筋２、３を配設後に設置する。【選択図】図１
2005282010.tif 000002
【特許請求の範囲】
【請求項１】
格子状の上端筋２と同じく格子状下端筋３が上下に間隔をもって並行に設けられ、その上端筋２と下端筋３の間に軽量ボイド型枠４０が配置されて、コンクリートＣが打設されたコンクリートボイドスラブにおいて、
上記ボイド型枠４０上方に上記上端筋２に固定された支持杆１０が臨み、この支持杆１０には下向きのガイド杆１１が設けられており、前記ボイド型枠４０は前記ガイド杆１１に下方から上方に移動自在に突き刺されて、上記コンクリートＣの打設により、そのボイド型枠４０が浮力によって前記ガイド杆１１に案内されて上方に移動して所要の高さに位置していることを特徴とするコンクリートボイドスラブ。
【請求項２】
上記格子状の上端筋２は、格子状の前後方向の鉄筋２ａと左右方向の鉄筋２ｂとからなり、その両鉄筋の一方２ｂを上側、他方２ａを下側として配置したものであり、上記支持杆１０は、その下側に位置する各鉄筋２ａ間に渡ってその鉄筋２ａに固定されていることを特徴とする請求項１に記載のコンクリートボイドスラブ。
【請求項３】
上記ボイド型枠４０は、その下部側面下方が後退する段差４４を有するものであることを特徴とする請求項１又は２に記載のコンクリートボイドスラブ。
【請求項４】
上記ボイド型枠４０は上下・左右及び前後が対称の形状であることを特徴とする請求項３に記載のコンクリートボイドスラブ。
【請求項５】
請求項１乃至４のいずれかに記載のコンクリートボイドスラブを構築する方法であって、
床型枠１に、格子状の上端筋２と同じく格子状下端筋３を上下に間隔をもって並行に設け、その上端筋２と下端筋３の間に軽量ボイド型枠４０を配置した後、上記支持杆１０のガイド杆１１を前記ボイド型枠４０に突き刺すとともにその支持杆１０を前記上端筋２に固定し、そのガイド杆１１による各ボイド型枠４０への上方に移動自在な突き刺し支持が完了した後、コンクリートＣを打設することを特徴とするコンクリートボイドスラブの構築方法。
【発明の詳細な説明】
【技術分野】
【０００１】
この発明は、上下端筋間に軽量ボイド型枠を配置したコンクリートボイドスラブ及びその構築方法に関するものである。
【背景技術】
【０００２】
この種のコンクリートボイドスラブとして、例えば、図５に示すように、床型枠１に、上端筋２を格子状に配置するとともに、下端筋３を同じく格子状に配置し、その格子状内の各碁盤目状空間Ｓ内に発泡樹脂などからなる軽量ボイド４を配置して、コンクリートを打設した構造のものがある（特許文献１、２参照）。
【特許文献１】特開平９−２５０１９６号公報
【特許文献２】特許第３３１１３４０号公報
【０００３】
このコンクリートボイドスラブの構築において、コンクリート打設時、ボイド型枠４の浮き上がりを阻止して、そのボイド型枠４が上下端筋２、３の空間Ｓから抜け出ることを防止する必要がある。
従来では、その防止を、ボイド型枠４を上下端筋２、３に種々の手段により連結することにより行なっている。例えば、図５に示すように、上下端筋２、３に各碁盤目状空間Ｓを横切る補助筋５を掛け渡し、その補助筋５により各ボイド型枠４の上下面を抑えてその浮き上がりを防止するようにしている。
また、そのボイド型枠４上面に補助筋５を跨ぐ係止具６を差し込んで、その横方向の動きも阻止する様にしている。
しかし、補助筋５を上下端筋２、３に設けて、その上下の補助筋５によりボイド型枠４を挟んで正確に位置させる作業は煩わしい。
【０００４】
このため、その上下端筋２、３又は上下の補助筋５によりボイド型枠４を挟んでその浮き上がりを防止するのではなく、その浮き上がり（浮力）を利用して、ボイド型枠４を所要の高さに位置させる技術もある（特許文献３、４）。
【特許文献３】特開２０００−１９２５９１号公報
【特許文献４】特開２０００−２３４４０９号公報
【０００５】
その浮力を利用した技術は、床型枠１からガイド杆を立ち上げ、そのガイド杆にボイド型枠４を上下移動可能に嵌め込み、そのガイド杆の上端に抜け止め材を設けたものである。このため、コンクリートが打設されると、その打ち込みにつれて、ボイド型枠４が抜け止め材に当たるまで浮き上がり、その後は、その位置を維持してコンクリート内に埋設される。
【発明の開示】
【発明が解決しようとする課題】
【０００６】
しかし、上記従来の浮力を利用した技術は、ガイド杆を床型枠１に取り付けており、コンクリートの打設後に、そのガイド杆を床型枠１から取り外す必要がある。このため、ガイド杆を床型枠１にねじ止めし、そのねじ結合を外すことにより、そのガイド杆を床型枠１から取り外すようにしている。
【０００７】
そのとき、ガイド杆はコンクリート層内に埋没しているため、床型枠１はガイド杆と切り離した後に撤去することとなる。このため、従来では、床型枠の下面から上記ねじ結合を外し得る構成としており、その構造が複雑で、コスト面で問題になっているとともに、ガイド杆の取付け・取外しの作業性が悪い。
【０００８】
この発明は、浮力を利用してボイド型枠の高さを位置決めする技術において、そのボイド型枠の上方移動用ガイドの取付けを容易にすることを課題とする。
【課題を解決するための手段】
【０００９】
上記課題を達成するために、この発明は、上記ボイド型枠の上方移動用ガイドを上端筋に固定の杆に設けることとしたのである。
このように、上方移動用ガイドを有する杆が上端筋に固定であれば、その杆をコンクリートの打設時に埋没し得るものとすれば、その杆の除去作業は必要ない。勿論、その杆は、鉄筋等のコンクリート層内に埋設させても支障のない材料とすることは当然である。
【発明の効果】
【００１０】
この発明は、ボイド型枠の上方移動用ガイドを上端筋に固定の杆に設けたので、そのガイドを取り外す必要がなく、作業性がよい。
【発明を実施するための最良の形態】
【００１１】
この発明の一実施形態としては、格子状の上端筋と同じく格子状下端筋が上下に間隔をもって並行に設けられ、その上端筋と下端筋の間に軽量ボイド型枠が配置されて、コンクリートが打設されたコンクリートボイドスラブにおいて、前記ボイド型枠上方に前記上端筋に固定された支持杆が臨み、この支持杆には下向きのガイド杆が設けられており、前記ボイド型枠は前記ガイド杆に下方から上方に移動自在に突き刺されて、前記コンクリートの打設により、前記ボイド型枠が浮力によって前記ガイド杆に案内されて上方に移動して所要の高さに位置している構成を採用できる。
【００１２】
この構成において、通常、上記格子状の上端筋は格子状の前後方向の鉄筋と左右方向の鉄筋とからなっており、その前後方向の鉄筋と左右方向の鉄筋のいずれに上記支持杆を固定してもよいが、支持杆を、その下側に位置する各鉄筋間に渡ってその鉄筋に固定する構成とすれば、上側に位置する各鉄筋と支持杆をほぼ同一のレベルにすることができ、体裁がよい上に、スラブの強度設計においても有利である。
【００１３】
上記ボイド型枠は、浮力で上方に移動するため、その浮力を受けやすい形状とすることが好ましく、例えば、その下部にその側面下方が後退する段差を有するものとすれば、その後退する（落ち込む）段差にコンクリートが入り込んで、その段差の上面に浮力を作用させるため、ボイド型枠は上方にスムースに移動する。
【００１４】
また、上記ボイド型枠は、スラブの強度に支障がない限りにおいて、その形状は任意であるが、上下・左右及び前後が対称の形状、例えば、球体、立方体等とすれば、そのボイド型枠を上下端筋間に設ける際、そのボイド型枠の向き（方向）を気にすることなく、設けることができる。
【００１５】
これらのコンクリートボイドスラブは従来と同様な施工順序で構築、例えば、床型枠上に下端筋を配置し、その下端筋の碁盤目状空間内にボイド型枠を設置し、その後、上端筋を設けるようにしてもよいが、例えば、床型枠に、格子状の上端筋と同じく格子状下端筋を上下に間隔をもって並行に設け、その上下端筋間にボイド型枠を配置した後、上記支持杆のガイド杆を前記ボイド型枠に突き刺すとともにその支持杆を前記上端筋に固定し、そのガイド杆による各ボイド型枠への上方に移動自在な突き刺し支持が完了した後、コンクリートを打設する方法を採用できる。
このように、ボイド型枠を上下端筋を配設後に設置するようにすれば、配筋作業を一度に行うことができて、作業性がよいものとなる。
【実施例】
【００１６】
図１乃至図４に一実施例を示し、この実施例のボイド型枠４０は、中実の発泡樹脂からなり、図３に示すように、その本体４１が上下面全周縁がアールカットされた円柱体で、その上下面中程が扁平な円柱体４２となった上下・左右及び前後が対称の形状をした提灯に似た形態であり、その中心軸上にガイド孔４３が貫通している。
【００１７】
そのガイド孔４３には、支持杆１０の下向きガイド杆１１が挿通され、このガイド杆１１を案内としてボイド型枠４０はそのガイド杆１１の軸方向に自由に移動する。支持杆１０の長さは、その両端をいずれかの上端筋２に固定できれば、任意であり、施工性を考慮して適宜に設定する。ガイド杆１１を発泡樹脂製のボイド型枠４０に挿し込むのみで、ガイド杆１１に対するボイド型枠４０の移動がなされれば、ガイド孔４３を形成する必要はない。支持杆１０とガイド杆１１は一体成形品、又は溶接接合品等と任意であり、その材質は、上下端筋２、３と同一な鉄筋製とするとよい。
【００１８】
このボイド型枠４０は、図１、図４（ａ）に示すように、床型枠１の上に各上下端筋２、３が配設され、その各上下端筋２、３間の上下に一致した碁盤目状の正方形空間Ｓ内に嵌め込んだ後、支持杆１０のガイド杆１１を各ボイド型枠４０のガイド孔４３に突き通すとともに、その支持杆１０の両端を上端筋２に番線１５の括り付け等により固定する。その固定は、上端筋２の上側筋２ｂ、下側筋２ａのどちらでもよいが、図示のように下側の上側筋２ｂが好ましい。
【００１９】
このガイド杆１１による各ボイド型枠４０の上方に移動自在な突き通し支持が完了した後、必要に応じて補助筋などを配置し、コンクリートＣを打設する。この打設につれて、図４（ｂ）から同（ｃ）のように、コンクリートＣから受ける浮力により、ボイド型枠４０は、ガイド杆１１に案内されて上昇し、その上面が支持杆１０に当接して位置決めされ、コンクリートＣの層内の所要の位置に埋没状態となって、二方向コンクリートボイドスラブが構築される。
【００２０】
このとき、ガイド杆１１の途中に止め杆等を設けてその止め杆等への当接でボイド型枠４０の上昇が阻止されるようにすれば、その当接位置がボイド型枠４０の埋設高さとなる。このため、その止め杆等又は上端筋２の高さを適宜に設定することにより、ボイド型枠４０の高さを適宜に設定できる。
【００２１】
なお、上下端筋２、３は、従来と同様にして配置し、適宜な手段により、連結固定して上下に間隔をもって並行に設ける。また、床型枠１には、木製の物のように、コンクリートＣの打設・固化後に、外すもののみならず、鉄製の物のように、捨て枠とする公知の種々の物を採用し得る。
【００２２】
この実施例において、例えば、ボイド型枠４０を、その平面視の外径：１９０ｍｍ、同高さｈ：（スラブ厚さ−１０２）ｍｍ、ガイド孔４３：１０ｍｍ径のものとし、ボイド型枠４０（ガイド杆１１）のピッチ：３００ｍｍ、一本の支持杆１０のガイド杆１１数：３（１本の支持杆１０で３個のボイド型枠４０を支持）、ガイド杆１１の径：６ｍｍとしたところ、作業性、スラブ強度などにおいて最良の結果を得た。
【図面の簡単な説明】
【００２３】
【図１】一実施例の概略斜視図
【図２】同実施例の切断正面図
【図３】同実施例の作用説明用斜視図
【図４】同実施例の作用説明図
【図５】従来例の概略斜視図
【符号の説明】
【００２４】
１  床型枠
２  上端筋
２ａ  下側上端筋
２ｂ  上側上端筋
３  下端筋
４、４０  ボイド型枠
１０  支持杆
１１  ガイド杆
４１  ボイド型枠本体
４３  ガイド孔
４４  段差
Ｃ  コンクリート
Ｓ  碁盤目状空間
【図１】
2005282010.tif 000003
【図２】
2005282010.tif 000004
【図３】
2005282010.tif 000005
【図４】
2005282010.tif 000006
【図５】
2005282010.tif 000007